(57)【要約】      （修正有）【課題】後続の図書の裁断が便利になる図書縁切り装置を提供する。【解決手段】図書縁切り装置は、ベース１３と、ベース１３の両端に、鉛直方向に立設して固定される支柱５と、を含み、両方の支柱５の先端部はベース１３に平行に配置されたボールねじ３を通じて連結される。その一方の支柱５にはボールねじ３の運動を駆動するための第１のステップモーター１が取り付けられる。第１のステップモーター１は、カップリング２を通じてボールねじ３の出力端に連結され、ボールねじ３の出力端にはスライダー４が固定される。スライダー４の一側には、直線鋸モジュール１０が鉛直方向に立設して取り付けられ、スライダー４の他側には直線鋸モジュール１０の運動を駆動するための第２のステップモーターが設けられる。ベース１３の、直線鋸モジュール１０の直下の位置に細長孔が設けられ、直線鋸モジュール１０の底端が細長孔内に設置される。【選択図】図１
0003230505.tif 000002
【実用新案登録請求の範囲】
【請求項１】
ベースと、
前記ベースの両端に、鉛直方向に立設して固定される支柱と、を含み、
両方の前記支柱の先端部は、前記ベースと平行に配置されたボールねじを通じて連結され、
一方の前記支柱には、前記ボールねじの運動を駆動するための第１のステップモーターが取り付けられ、前記第１のステップモーターは、カップリングを通じて前記ボールねじの出力端に連結され、
前記ボールねじの出力端には、スライダーが固定され、前記スライダーの一側には、直線鋸モジュールが鉛直方向に立設して取り付けられ、前記スライダーの他側には、前記直線鋸モジュールの運動を駆動するための第２のステップモーターが取り付けられ、
前記ベースの、前記直線鋸モジュールの直下の位置に細長孔が設けられ、前記細長孔の延在方向は、前記ボールねじの延在方向に平行であり、前記直線鋸モジュールの底端が前記細長孔内に設置される、
ことを特徴とする図書縁切り装置。
【請求項２】
前記直線鋸モジュールの両側の双方に鋸歯構造が形成された、
ことを特徴とする請求項１に記載の図書縁切り装置。
【請求項３】
前記ベースには予備裁断の図書を固定するための、伸縮が調整可能な固定用ベルトが少なくとも一つ設けられ、
前記固定用ベルトの延在方向は、前記細長孔の延在方向と平行であり、
前記固定用ベルトの両端は、前記ベースに加工された狭溝内に設置され、
前記狭溝の延在方向は前記細長孔の延在方向と垂直であり、
前記狭溝内に固定ビームが固定され、前記固定ビームと前記固定用ベルトは固定連結される、
ことを特徴とする請求項１に記載の図書縁切り装置。
【請求項４】
前記ベースの底部には、前記ベースを支持するための四つの連体サポートが設けれた、
ことを特徴とする請求項１に記載の図書縁切り装置。
【請求項５】
前記支柱の先端部には、貫通孔が開口され、
一方の前記貫通孔内に前記カップリングが取り付けられ、前記ボールねじの前記カップリングから離れる一端が他方の前記貫通孔内に設置され、軸受を介して前記貫通孔と連結される、
ことを特徴とする請求項１に記載の図書縁切り装置。
【考案の詳細な説明】
【技術分野】
【０００１】
本考案は、縁切り装置に関し、具体的には図書縁切り装置に関する。
【背景技術】
【０００２】
図書は、日常生活において、あらゆる場面で見られ、欠かせないものである。図書は、出版社（メーカー）より出版された特定の書名、著者名を有し、国際標準図書番号が付けられている。価格が設定され、且つ著作権が許可された出版物を図書と言う。しかし、一部の図書は時効が切れ又は機密性の保持等の原因で廃棄しなければならない。焼却の場合、資源が合理的に利用できないだけでなく、環境も破壊する。また、図書はすでに装丁して冊子になっているため、普通の紙面としてシュレッダーに入れて廃棄することができず、ペーパーカッターで図書の製本側の比較的厚い部分を裁断することができない。薄い図書であっても、ペーパーカッターを使用する場合、人力も必要となるため、手間がかかり且つ危険性もある。現在、図書を集中的に整理して専門の図書廃棄事業により廃棄を行うことが普通であるが、この場合、図書の機密性が保証できない。
【考案の概要】
【考案が解決しようとする課題】
【０００３】
現在、図書の縁辺を自動的に裁断できる製品や考案はない。そこで、本考案は、日常生活において、人力を介せず、図書の縁切りが実施できる装置の提供を目的とする。具体的には、シュレッダーの使用前に利用する装置として、破砕操作がより容易になるため、図書破砕の目的が達成でき、図書の破砕処理の困難度を下げると共に、図書の機密性も確保できる。
【０００４】
本考案は、上記問題点に鑑みてなされたものであり、図書縁切り装置を提供する。
【課題を解決するための手段】
【０００５】
本考案の技術的手段は、以下の通りである。
【０００６】
本考案の一態様である図書縁切り装置は、
ベースと、
前記ベースの両端に、鉛直方向に立設して固定される支柱と、を含み、
両方の前記支柱の先端部は、前記ベースと平行に配置されたボールねじを通じて連結され、
一方の前記支柱には、前記ボールねじの運動を駆動するための第１のステップモーターが取り付けられ、前記第１のステップモーターがカップリングを通じて前記ボールねじの出力端に連結され、
前記ボールねじの出力端には、スライダーが固定され、前記スライダーの一側には、直線鋸モジュールが鉛直方向に立設して取り付けられ、前記スライダーの他側に前記直線鋸モジュールの運動を駆動するための第２のステップモーターが取り付けられ、
前記ベースの、前記直線鋸モジュールの直下の位置に細長孔が設けられ、前記細長孔の延在方向は前記ボールねじの延在方向に平行であり、前記直線鋸モジュールの底端が前記細長孔内に設置される。
【０００７】
更に、前記直線鋸モジュールの両側の双方に鋸歯構造が形成されている。
【０００８】
更に、前記ベースには予備裁断の図書を固定するための、伸縮が調整可能の固定用ベルトが少なくとも一つ設けられ、
前記固定用ベルトの延在方向は、前記細長孔の延在方向に平行であり、
前記固定用ベルトの両端は、前記ベースに加工された狭溝内に設けられ、
前記狭溝の延在方向は、前記細長孔の延在方向と垂直であり、
前記狭溝内に固定ビームが固定され、前記固定ビームと前記固定用ベルトは固定連結される。
【０００９】
更に、前記ベースの底部には、前記ベースを支持するための四つの連体サポートが設けられる。
【００１０】
更に、前記支柱の先端部には、貫通孔が開口され、
一方の前記貫通孔内に前記カップリングが取り付けられ、前記ボールねじの前記カップリングから離れる一端が他方の前記貫通孔内に設置され、軸受を介して前記貫通孔と連結される。
【００１１】
使用状態下の図書縁切り装置において、図書は、固定用ベルトにより前記ベースに固定され、図書の製本側が前記直線鋸モジュールに近づく。前記第２のステップモーターにより前記直線鋸モジュールを駆動することで切断が行われる。前記第１のステップモーターにより前記ボールねじを駆動して運動させると、前記スライダーが前記ボールねじに連動されて水平運動し、更に前記直線鋸モジュールが連動されて水平切断が実施される。また、直線鋸モジュールの両側に鋸歯構造があるため、往復切断が実現できる。
【考案の効果】
【００１２】
本考案によれば以下の利点がある。
１、本考案の図書縁切り装置を採用すれば、人力での図書の縁切りを避けることができるため、よりきれいで便利である。
２、シュレッダーの使用前に使用する装置として利用でき、図書の製本側を裁断し、図書の破砕操作を容易に行うことができる。
３、図書の処理過程において、より環境にやさしい解決方法が提供でき、且つ図書情報の安全性も向上させることができる。
４、本考案の図書縁切り装置は、構成が簡単で、操作が容易である。
５、自動的な図書縁切りや図書破砕に係る製品がない市場の空白を埋めることができる。
本考案は、上記利点を備えることで、図書縁切りなどの分野で普及が可能である。
【図面の簡単な説明】
【００１３】
本考案の実施例または従来技術の技術案をより一層明らかに説明するため、以下、実施例または従来技術の説明に係る図面について、簡単に説明する。以下の図面は本考案の一部の実施例を示すものであり、当業者にとって、創造的な労働を行うことなく、これらの図面に基づいて他の図面が得られることは明らかである。
【００１４】
【図１】本考案の実施形態に係る図書縁切り装置の正面図である。
【図２】本考案の実施形態に係る図書縁切り装置の側面図である。
【図３】本考案の実施形態に係る図書縁切り装置の平面図である。
【図４】図１のＡ−Ａ線に沿う断面図である。
【図５】本考案の実施形態に係る図書縁切り装置の斜視図である。
【考案を実施するための形態】
【００１５】
本考案の実施例の目的、技術案及び利点をより明確にするために、以下、図面を参照しながら、本考案の実施例における技術案を明確且つ完全に説明する。説明された実施例は、本考案の一部の実施例であり、すべての実施例ではないことは明らかである。本考案の実施例に基づいて、当業者が創造的な労働を行わない前提で得られるすべての他の実施例は、本考案の範囲に属する。
【００１６】
図１〜５に示すように、図書縁切り装置は、ベース１３と、前記ベース１３の両端には鉛直方向に立設して固定された支柱５と、を含む。両方の前記支柱５の先端部は、前記ベース１３と平行に配置されたボールねじ３を通じて連結される。一方の前記支柱５には、前記ボールねじ３の運動を駆動するための第１のステップモーター１が取り付けられる。前記第１のステップモーター１は、カップリング２を通じて前記ボールねじ３の出力端に連結される。前記ボールねじ３の出力端には、スライダー４が固定される。前記スライダー４の一側には、直線鋸モジュール１０が鉛直方向に立設して取り付けられる。前記スライダー４の他側には、前記直線鋸モジュール１０の運動を駆動するための第２のステップモーター６が取り付けられる。前記ベース１３の、前記直線鋸モジュール１０の直下の位置に細長孔７が設けられる。前記細長孔７の延在方向は、前記ボールねじ３の延在方向と平行であり、前記直線鋸モジュール１０の底端が前記細長孔７内に設置される。
【００１７】
前記直線鋸モジュール１０の両側の双方に鋸歯構造が形成される。
【００１８】
前記ベース１３には予備裁断の図書を固定するための、伸縮が調整可能な固定用ベルト１２が二つ設けられる。前記固定用ベルト１２の延在方向は、前記細長孔７の延在方向と平行である。前記固定用ベルト１２の両端は、前記ベース１３に加工された狭溝９内に設置される。前記狭溝９の延在方向は、前記細長孔７の延在方向に垂直である。前記狭溝９内には固定ビーム１１が固定され、前記固定ビーム１１と前記固定用ベルト１２は固定連結される。
【００１９】
前記ベース１３の底部には、前記ベース１３を支持するための四つの連体サポート１４が設けられる。
【００２０】
前記支柱５の先端部には、貫通孔８が開口される。一方の前記貫通孔内に前記カップリング２が取り付けられる。前記ボールねじ３の前記カップリング２から離れる一端が他方の前記貫通孔８内に設けられ、軸受１５を介して前記貫通孔８と連結される。
【００２１】
以上の各実施例は、単に本考案の技術手段について説明するためのものであり、本考案を制限するものではない。上述した各実施例を参照して本考案について詳しく説明したが、上述した各実施例に記載の技術手段に対しての修正、及び一部又は全部の技術的特徴に対しての均等物置換は可能であり、それら修正や置換は、対応する技術手段の本質が本考案の実施例における技術手段の範囲から逸脱しないことは、当業者に理解されよう。
【符号の説明】
【００２２】
１  第１のステップモーター
２  カップリング
３  ボールねじ
４  スライダー
５  支柱
６  第２のステップモーター
７  細長孔
８  貫通孔
９  狭溝
１０  直線鋸モジュール
１１  固定ビーム
１２  固定用ベルト
１３  ベース
１４  連体サポート
１５  軸受
【図１】
0003230505.tif 000003
【図２】
0003230505.tif 000004
【図３】
0003230505.tif 000005
【図４】
0003230505.tif 000006
【図５】
0003230505.tif 000007